(57)【特許請求の範囲】
【請求項１】
前後面が開口した外枠と、
該外枠の前面に開閉可能に取り付けられた内枠と、
前面に外レールおよび内レールによって遊技領域が区画され上記内枠に着脱可能に装着された遊技盤と、
該遊技盤前面の上記遊技領域に向け遊技球を発射する発射装置と、
該発射装置へ遊技球を供給するとともに払い出された遊技球を貯留する上皿本体を表面に有し上記内枠の前面に開閉可能に取り付けられた上受け皿と、
払い出された遊技球で上記上皿本体が満杯となった後の余剰となった遊技球を貯留する下皿本体を有し上記上受け皿の下方に配置された下受け皿と、
上記内枠の背面に設けられた裏セット機構板と、
該裏セット機構板に設けられた払い出し用の球通路と、
該球通路を上記上皿本体に接続する上皿接続樋と、
上記余剰となった遊技球を上記下皿本体へ向けて流出させる余剰球流出口と、
該余剰球流出口に連通する満杯樋と、
該満杯樋と上記下皿本体を接続する下皿接続樋とを備えた遊技機において、
上記余剰球流出口を、上記上皿本体の底部の、上記発射装置への供給側とは反対の正面視左側の隅に、上記上皿本体の側壁形状に沿うように設けて、該側壁と相対する側が、上記上皿本体に遊技球が溜まって満杯状態となると遊技球が乗り越える規制壁によって囲われるものとし、
上記満杯樋を、上記上受け皿の上記正面視左側の、該上受け皿を上記内枠に対して閉じた状態としたときに該上受け皿の、上記下受け皿における上記下皿本体の上記正面視左側の上方に立ち上がった側壁の上面に略連接する側壁内に、上記余剰球流出口の下方で、該余剰球流出口に連接して略垂直に上記上受け皿下面の流出口まで延びるように設け、
上記下受け皿の上記正面視左側の上方に立ち上がった側壁内に、上記上受け皿を上記内枠に対して閉じた状態としたときに上記満杯樋の流出口と実質上離間せずに連通するように上記下皿接続樋を設け、
該下皿接続樋に、上記下皿本体が満杯となり遊技球が上記下皿接続樋に溢れたことを検出する満杯検出スイッチを設けたことを特徴とする遊技機。
【発明の詳細な説明】
【０００１】
【発明の属する技術分野】
本発明は、遊技機に関し、特に、上皿本体が賞球として払い出された遊技球で満杯となった後の余剰となった遊技球を余剰球流出口から満杯樋へ流出させ下皿本体へ導くよう構成された遊技機における、上記余剰球流出口および満杯樋の設置構造に関するものである。
【０００２】
【従来の技術】
パチンコ機等の遊技機において、入賞球の検知に伴い賞球として払い出される遊技球を、機枠前面下部の上皿本体に貯留して、発射装置へ供給するとともに、払い出された遊技球で上皿本体が満杯となった後の余剰となった遊技球を、余剰球流出口から流出させて、下皿本体に貯留するよう構成されたものが従来から知られている。
【０００３】
図９〜図１１に示すパチンコ機（遊技機）は、上皿本体および下皿本体を備える上記従来の遊技機の一例であって、機枠として、前後面が開口した外枠１を有し、その外枠１の前面に、ヒンジ２によって内枠３が開閉可能に取り付けられている。そして、内枠３の前面には、内枠３の最上部に取り付けられた枠飾り４の下方に、上記ヒンジ２によって内枠３と共付けで内枠３に対し開閉可能にガラス枠５が取り付けられ、さらに、このガラス枠５の下方に、同じく共付けで開閉可能に、上皿本体を有する上受け皿６が取り付けられている。また、内枠３前面の上受け皿６の下方には、下皿本体を有するとともに発射レバー７を有する下受け皿８が装着されている。また、内枠３の後方には、ガラス枠５に保持されたガラス板から一定の間隔を隔てて、着脱可能に遊技盤が装着される。そして、内枠３の背面に、開閉可能に裏セット機構板９が取り付けられている。
【０００４】
上記裏セット機構板９の背面には、中央に、遊技盤の後面を覆う箱状のカバー部材10が設けられ、カバー部材10の上方に、外部より補給される遊技球を貯えておく球タンク11が固定され、球タンク11の、正面視右側方に向け下り傾斜した底面の傾斜方向先端に設けられた流出口の下方に臨む位置に、補給球切れスイッチ12が設けられ、また、球タンク11の下方に、球タンク11の流出口から流出する遊技球を正面視左方向へ転がすよう傾斜したタンクレール13が設けられ、タンクレール13の終端部付近には球押さえ板14が配置されている。
【０００５】
また、裏セット機構板９の背面には、カバー部材10に対し正面視左側方に、タンクレール13の左端に接続して下方に延びるケースレール15が設けられ、その下方に、ケースレール15の下端に接続された、スクリュー16ａと駆動源であるモータ16ｂとで構成された賞球払出装置16が設けられ、その下方には、賞球払出装置16の流出口に連接された賞球払出樋17が設けられ、また、ケースレール15に並列して裏セット機構板９の最外周部に球抜き樋18が延設され、ケースレール15から球抜き樋18へ分岐する部分に、遊技球を球抜き樋18に導くよう外部から操作する球抜きレバー19が設けられている。
【０００６】
そして、裏セット機構板９の背面の賞球払出樋17の下流には、払い出された遊技球を流下させ、途中、流路変換部20にて上受け皿６へ向けて略９０゜流路を変換し、上受け皿６の後面を貫通する樋の入口に対応する位置まで延設されて、払い出された遊技球を上皿本体へ導く球通路21が設けられるとともに、流路変換部20の上流で球通路21から分岐して、払い出された遊技球によって上皿本体が満杯となった後の余剰となった遊技球を下皿本体へ向けて流出させる余剰球流出口22と、この余剰球流出口22に連通して遊技機下部の下皿本体の後側壁より下受け皿８の後面を貫通する樋の入口に対応する位置まで延設されて、上皿本体に入り切らない遊技球を下皿本体へ流下案内する満杯樋23が設けられている。また、上記球抜き樋18の下部が、球通路21の流路変換部20の下方を中央寄りに傾斜して延設され、さらに、その傾斜した部分に連接して、満杯樋23の左側方を略垂直に裏セット機構板の最下部まで延設されている。そして、上記満杯樋23の正面視右測方の裏セット機構板９の右最下端の位置に遊技球の発射や払い出し等を制御する払出制御基板24が設けられ、その直ぐ上方の遊技盤後面を覆う箱状のカバー部材10の後面には、遊技盤面に於ける遊技内容等を制御する主基板25が設けられている。
【０００７】
なお、上記構成のパチンコ機においては、発射装置により発射された後、遊技領域に達することなく外レールを逆戻りした遊技球をファール球として回収するファール球回収口と、遊技者が操作することにより上皿本体に貯留した遊技球を下皿本体へ向けて流下させる上皿球抜き樋に連通する下皿接続樋が、下受け皿８後面に設けられ、それらファール球回収口と下皿接続樋とが、下受け皿８の後面を貫通する上記樋に上部より合流するよう構成されている。
【０００８】
【発明が解決しようとする課題】
しかし、上記従来の遊技機においては、上皿本体が満杯となった後の余剰となった遊技球を下皿本体へ向けて流出させる余剰球流出口22と、この余剰球流出口22から流出した遊技球を下皿本体へ流下案内する満杯樋23を、裏セット機構板９に設けるので、裏セット機構板９の裏面に、球通路21と共にこれら余剰球流出口22および満杯樋23を配置する空間が必要であり、また、球通路21を裏セット機構板を貫通して上受け皿６に設けられた樋に対応する位置まで延設するのに加えて、満杯樋23を、余剰球流出口22に連通する位置から、裏セット機構板９を貫通して遊技機下部の下受け皿８に設けられた樋に対応する位置まで延設する必要があり、そうしたことが裏セット機構板９の大型化の要因となるとともに、球通路の構造を複雑化させる要因ともなっている。
【０００９】
しかも、今日の遊技機は、遊技内容の複雑化に伴い、それを制御するための装置(基板等)が大型化あるいは多数化しているため、球通路の複雑化も相まって、基板等の設置箇所に苦慮するところであり、例えば、上記従来の遊技機のように、遊技盤後面を覆う箱状のカバー部材10の後面に、遊技盤面に於ける遊技内容等を制御する主基板25が設けるようなことになるため、遊技機後面において奥行き方向の寸法が大きくなる傾向にある。
【００１０】
したがって、遊技機の裏セット機構板における球通路の構造を簡素化するとともに、制御のための基板等の装置の設置空間を確保して、遊技機後面における奥行き方向の寸法の増大を回避できるようにすることが課題である。本発明はこの課題を解決することを目的とする。
【００１１】
【課題を解決するための手段】
本発明は、上皿本体が払い出された遊技球で満杯となった後の余剰となった遊技球を流出させる余剰球流出口と、この余剰球流出口に流出させた遊技球を下皿本体へ導く満杯樋を、裏セット機構板の前面よりも前方に設けるように構成したものであり、これによって、裏セット機構板の球通路の簡素化および小型化を実現でき、それによって空いた空間を基板等の装置の設置のために有効に活用することができる。
【００１２】
請求項１に係る発明の遊技機は、前後面が開口した外枠と、該外枠の前面に開閉可能に取り付けられた内枠と、前面に外レールおよび内レールによって遊技領域が区画され上記内枠に着脱可能に装着された遊技盤と、該遊技盤前面の上記遊技領域に向け遊技球を発射する発射装置と、該発射装置へ遊技球を供給するとともに払い出された遊技球を貯留する上皿本体を表面に有し上記内枠の前面に開閉可能に取り付けられた上受け皿と、払い出された遊技球で上記上皿本体が満杯となった後の余剰となった遊技球を貯留する下皿本体を有し上記上受け皿の下方に配置された下受け皿と、上記内枠の背面に設けられた裏セット機構板と、該裏セット機構板に設けられた払い出し用の球通路と、該球通路を上記上皿本体に接続する上皿接続樋と、上記余剰となった遊技球を上記下皿本体へ向けて流出させる余剰球流出口と、該余剰球流出口に連通する満杯樋と、該満杯樋と上記下皿本体を接続する下皿接続樋とを備えた遊技機において、上記余剰球流出口を、上記上皿本体の底部の、上記発射装置への供給側とは反対の正面視左側の隅に、上記上皿本体の側壁形状に沿うように設けて、該側壁と相対する側が、上記上皿本体に遊技球が溜まって満杯状態となると遊技球が乗り越える規制壁によって囲われるものとし、上記満杯樋を、上記上受け皿の上記正面視左側の、該上受け皿を上記内枠に対して閉じた状態としたときに該上受け皿の、上記下受け皿における上記下皿本体の上記正面視左側の上方に立ち上がった側壁の上面に略連接する側壁内に、上記余剰球流出口の下方で、該余剰球流出口に連接して略垂直に上記上受け皿下面の流出口まで延びるように設け、上記下受け皿の上記正面視左側の上方に立ち上がった側壁内に、上記上受け皿を上記内枠に対して閉じた状態としたときに上記満杯樋の流出口と実質上離間せずに連通するように上記下皿接続樋を設け、該下皿接続樋に、上記下皿本体が満杯となり遊技球が上記下皿接続樋に溢れたことを検出する満杯検出スイッチを設けたことを特徴とする。
【００１３】
この場合、上皿本体が満杯となった後の余剰となった遊技球を流出させる余剰球流出口と満杯樋を、裏セット機構板の前面よりも前方に位置する上受け皿に設けることにより、裏セット機構板に設ける球通路は、余剰球流出口や満杯樋を連接しない簡素な構造とすることができ、また、満杯樋を、裏セット機構板を貫通するような構造とする必要がないため、裏セット機構板を小型化することができるとともに、裏セット機構板の裏面に基板等の設置空間を確保することができる。
【００１４】
また、余剰珠流出口が、上皿本体の底部の、発射装置への供給側とは反対の正面視左側の隅に設けられるとともに、満杯樋が略垂直に設けられ、且つ、下皿本体への流出口がこのように下皿本体の正面視左側の側壁に設けられることによって、余剰球流出口および満杯樋に拘わる部分の全てが遊技機前面の一側にコンパクトにまとまる。
【００１５】
【発明の実施の形態】
以下、図面を用いてこの発明の実施の形態を具体的に説明する。
【００１６】
図１〜図８は、本発明の実施の形態を示している。図１は遊技機の正面図、図２は遊技機の右側面図、図３は遊技機の前面斜視図、図４は遊技盤の単体正面図、図５は遊技機の後面斜視図、図６は裏セット機構板の単体背面図、図７は、本発明の実施の形態の遊技機の上受け皿単体の平面図（ａ）および正面図（ｂ）、図８は、同下受け皿単体の平面図（ａ）および正面図（ｂ）である。
【００１７】
この遊技機（パチンコ機）は、機枠として、前後面が開口した外枠１を有し、その外枠１の前面に、略垂直姿勢を保って、且つ、ヒンジ２によって回動自在に額縁状の内枠３が取り付けられ、開閉可能とされている。そして、内枠３の最上部には枠飾り４が取り付けられ、内枠３前面の枠飾り４の下方に、上記ヒンジ２によって内枠３と共付けで内枠３に対し開閉可能にガラス枠５が取り付けられ、さらに、このガラス枠５の下方に、同じく共付けで開閉可能に上受け皿６が取り付けられている。また、内枠３前面の上受け皿６の下方には、発射レバー７を有する下受け皿８が装着されている。そして、内枠３の後方には、ガラス枠５に保持されたガラス板５ａから一定の間隔を隔てて、着脱可能に遊技盤30（図４）が装着される。内枠３の下部には、支持板31が設けられ、この支持板31が遊技盤30の下部を支えている。
【００１８】
上受け皿６の表面には、多数の遊技球を一時的に貯える上皿本体６ａが設けられており、下受け皿８の表面には、上皿本体６ａが遊技球で満杯となった後の余剰となった遊技球を貯える下皿本体８ａが設けられている。さらに、上受け皿６の後面には、遊技者が操作することにより上皿本体６ａに貯留した遊技球を下皿本体へ向けて流下させる上皿球抜き樋32が設けられており、下受け皿８の後面には、上受け皿６を内枠３に対して閉塞状態としたときに上皿球抜き樋32に連通する下皿接続樋33と、上皿本体６ａより一個ずつ供給される遊技球を撃ち出す発射装置34が設けられている。
【００１９】
支持板31には、発射装置34により撃ち出された遊技球を遊技盤30の盤面に向けて案内する発射レール35が設けられている。
【００２０】
遊技盤30は、図４に示すように盤面に、外レール36および内レール37等の区画部材によって区画された遊技領域38が形成され、発射装置34により撃ち出されて発射レール35により案内された遊技球が、さらに外レール36によって遊技盤30の上方部に案内され、内レール37の上端を越えることによって遊技領域38に達する構成とされている。
【００２１】
内枠３の背面には、図２および図５に示すように各種機構が重複的にセットされた裏セット機構板９が設けられている。この裏セット機構板９は、開閉可能に取り付けられていて、その背面には、図６に示すように、中央に、遊技盤の後面を覆う箱状のカバー部材10が設けられ、カバー部材10の上方に、外部より補給される遊技球を貯えておく球タンク11が、多量の遊技球の重量にも耐え得るよう、腰掛け状態で固定されている。そして、球タンク11の、正面視右側方に向け下り傾斜した底面の傾斜方向先端の流出口の下方に臨む位置に設けられた傾動自在な踏板レバー（図示せず）の傾動動作と連動するよう、補給球切れスイッチ12が設けられている。これは、球タンク11内の遊技球の有無を検出し、無くなると球切れ信号を発して、遊技球の補給を促すものである。また、球タンク11の下方には、球タンク11の流出口から流出する遊技球を正面視左方向へ転がすよう傾斜した２条のタンクレール13が設けられ、タンクレール13の左方終端部付近には、タンクレール13における遊技球が相互の接触圧力の微妙な変化によって、二段、三段と重なり、球詰まり現象を起こすのを防止するために、一端を軸支することにより傾動自在とされた球押さえ板14が配置されている。
【００２２】
また、裏セット機構板９の背面には、カバー部材10に対し正面視左側方に、タンクレール13の左端に連接して、その後直ぐ下方に屈曲し、次いで略垂直下方に延びる２条のケースレール15が設けられ、その下方には、スクリュー16ａと駆動源であるモータ16ｂとで構成された賞球払出装置16が設けられて、ケースレール15の下方終端部が賞球払出装置16の流入口に接続されている。そして、賞球払出装置16の下方流出口には、賞球払出樋17が連接されている。
【００２３】
ケースレール15は、内部にできるだけ多くの遊技球が貯留できるよう、また、賞球払出装置16に過度な負荷をかけないよう、何度も屈曲させた構造とされている。また、ケースレール15に並列して裏セット機構板９の最外周部に埋設状態で球抜き樋18が設けられている。そして、球抜き樋18は、上端がケースレール15の上方側の屈曲部から分岐する通路部分に接続され、その分岐する通路部分の入口には、遊技球を球抜き樋18に導くよう外部から操作可能な球抜きレバー19が配設されている。
【００２４】
また、裏セット機構板９の背面の賞球払出樋17の下流には、払い出された遊技球を流下させ、途中、流路変換部20にて上受け皿６へ向けて略９０゜流路を変換し、上受け皿６の後面に向け延設されて、払い出された遊技球を上皿本体へ導く球通路21が設けられている。
【００２５】
上記球抜き樋18の下部は、球通路21の流路変換部20の下方を中央寄りに傾斜して延設され、さらに、その傾斜した部分に連接し、略垂直に裏セット機構板９の最下部まで延設されており、遊技球を機外へ抜き取る構成とされている。
【００２６】
そして、球抜き樋18下部の中央寄りに傾斜する部分の下側方には、遊技球の発射や払い出し等を制御する払出制御基板24が設けられている。また、上記傾斜する部分に連接する略垂直な球抜き樋18最下部を挟んで、払出制御基板24とは反対の正面視右側方に、遊技盤面に於ける遊技内容等を制御する主基板25が設けられている。
【００２７】
また、ケースレール15の、上記球抜き樋18への分岐部分の直下流で略垂直に降下する部分の途中には、２条（２列）のケースレール15の各列宛にそれぞれ流路内に突出する押板レバー41が傾動自在に設けられている。そして、この押板レバー41の傾動動作と連動して、タンクレール13およびケースレール15内の球詰まりやゴミ等の混入による遊技球の流動異常を監視し、制御装置に指令信号を出力するよう、空切り防止スイッチ42が臨設されている。空切り防止スイッチ42は、遊技球が正常に流下しているときには流下する遊技球によって押板レバー41が押圧されることにより、規則的な検出信号を出力するが、タンクレール13やケースレール15内で球詰まりや異物の混入のような異常が発生したときには、賞球払出中でも検出信号が変化しなくなったり不規則に変化し、それによって遊技球の流下異常現象を検出できるようにしたものである。
【００２８】
上記スクリュー16ａと駆動源であるモータ16ｂとからなる電動式の賞球払出装置16は、遊技盤30前面の遊技領域38に撃ち出された遊技球の入賞口への流入（入賞）に伴い、遊技者に賞品としての所定数の遊技球（賞球）を払い出す装置であって、裏セット機構板９の背面において上記のようにカバー部材10の正面視左側方に配設可能なよう小型化され、そのスクリュー16ａの最下端位置には賞球払出センサ43が設けられている。また、遊技盤30背面の集合板には、各々の入賞口に流入した遊技球（入賞球）を検出する入賞球検出スイッチが設けられている。そして、各入賞球検出スイッチの検出信号に基づいて、各入賞口毎に予め定められた賞球数の累積値を、払出制御基板24に設けられたＲＡＭ（ランタ゛ム・アクセス・メモリー）に記憶し、その記憶した賞球数累積値を、賞球払出センサ43の信号により１個ずつ減算して、ＲＡＭの賞球数記憶値が０（零）になるまで、賞球払出装置16を駆動し、２列で１個ずつ交互に賞球を払い出させるよう制御装置が構成されている。したがって、賞球払出中に新たな入賞球検出信号が発生した場合には、賞球払出装置16はその払出動作を停止することなく、前回の入賞球検出信号に伴う賞球払出に引き続いて新たな入賞検出信号に伴う賞球を払い出すこととなる。
【００２９】
また、上述のように押板レバー41の傾動動作に連動する空切り防止スイッチ42によってケースレール15内の遊技球流動異常が検知されると、制御装置は、その時点で賞球払出装置16による賞球の払い出しを停止させるとともに、球切れランプ等の警報ランプを点灯させて、機能停止の原因が直ぐ分かるようにし、また、迅速な処置がとれるようする。これにより、払出動作の異常による賞球の不足や、払出タイミングのずれによるスクリュー16ａへの球噛みが確実に防止される。
【００３０】
また、上記賞球払出樋17下方の球通路21には、流路変換部20の手前の垂直通路部分に、払い出された遊技球が衝突して爽快音を発生するよう、ベル44が臨設されている。
【００３１】
そして、この実施の形態の遊技機においては、図７に示すように、上受け皿６を内枠３に対して閉じた状態で、流路変換部20にて略９０゜流路を変換して裏セット機構板９の前面に達した球通路21に連接する支持板31の開口部と連通するよう、上受け皿６の後面に上皿接続樋51が設けられている。そして、上受け皿６に設けられた上皿本体６ａの底部の、発射装置34への供給側とは反対の正面視左側の隅に、上皿本体６ａの側壁形状に沿うように、該側壁と相対する側が遊技球の直径寸法よりやや低い規制壁62によって囲われた余剰球流出口63が設けられている。そして、上受け皿６内には、上記余剰球流出口63の下方に、該余剰球流出口63に連接して略垂直に上受け皿６下面の流出口まで延びる満杯樋64が設けられている。また、図８に示すように、下受け皿８には、上受け皿６を内枠３に対して閉じた状態としたときに満杯樋64の流出口と連通するように下皿接続樋65が設けられている。下皿接続樋65は、満杯樋64の流出口と連通する位置から略垂直下方に流路が延び、その後、正面視右向きに略９０゜流路を変換して下皿本体８ａに連通する。そして、この下皿接続樋65の上部側壁から流路内に臨むよう満杯検出スイッチ57が設けられている。下皿本体８ａが満杯となり、遊技球が下皿接続樋65に溢れて、満杯検出スイッチ57まで達すると、その満杯検出信号を受けて制御装置が遊技中断の指令信号を出力する。
【００３２】
実施の形態の遊技機はこのように構成されたものであり、賞球として払い出された遊技球は、上皿接続樋51を通過して上皿本体６ａに流入し、通常は、規制壁62を乗り越えず、余剰球流出口63への流出が規制されるが、上皿本体６ａに遊技球が溜まって満杯状態となると、遊技球が規制壁62を乗り越えて、余剰球流出口63から満杯樋64に流出し、下皿接続樋65を経て下皿本体８ａに流入する。
【００３３】
また、さらに下皿本体８ａも満杯となり、遊技球が下皿接続樋65に溢れると、満杯検出スイッチ57がそれを検出し、制御装置が賞球払出装置16および発射装置34の駆動を停止して、遊技を中断する。
【００３４】
以上、本発明の図示の実施の形態について説明したが、本発明は上述した実施の形態に限定されるものではなく、特許請求の範囲に記載の構成を変更しない限り適宜変更して実施できる。
【００３５】
【発明の効果】
以上説明したように、本発明によれば、上皿本体が満杯となり余剰となった遊技球を下皿本体へ向けて流出させる余剰球流出口と、この余剰球流出口に連通する満杯樋を、裏セット機構板の前面よりも前方の、上受け皿に設けたため、裏セット機構板における球通路の構造を簡素化することができ、また、満杯樋を、裏セット機構板を貫通するような構造とする必要がなくて、裏セット機構板を小型化することができるとともに、裏セット機構板の裏面に基板等の設置空間を確保でき、今日の遊技機における遊技内容の複雑化に伴う基板等の制御のための装置の大型化或いは多数化にも対応することができ、遊技機後面における奥行き方向の寸法増大を抑えることができる。
【００３６】
また、余剰球流出口を上皿本体表面の、例えば底部一側の隅に設け、それに連接する満杯樋を上皿本体内に略垂直に設け、その満杯樋下端の流出口に連接するよう下皿本体に下皿接続樋を設けたものにおいては、余剰球流出口および満杯樋に拘わる部分の全てが前面側に設けられることとなって、遊技機後面側に尚一層の空き空間を確保できる。
【図面の簡単な説明】
【図１】本発明の実施の形態に係る遊技機の正面図、
【図２】本発明の実施の形態に係る遊技機の右側面図、
【図３】本発明の実施の形態に係る遊技機の前面斜視図、
【図４】本発明の実施の形態に係る遊技機の遊技盤の単体正面図、
【図５】本発明の実施の形態に係る遊技機の後面斜視図、
【図６】本発明の実施の形態に係る遊技機の裏セット機構板の単体背面図、
【図７】本発明の実施の形態に係る遊技機の上受け皿単体の平面図（ａ）および正面図（ｂ）、
【図８】本発明の実施の形態に係る遊技機の下受け皿単体の平面図（ａ）および正面図（ｂ）、
【図９】従来の遊技機の右側面図、
【図１０】従来の遊技機の後面斜視図、
【図１１】従来の遊技機の裏セット機構板の単体背面図である。
【符号の説明】
１  外枠
３  内枠
６  上受け皿
６ａ  上皿本体
８  下受け皿
８ａ  下皿本体
９  裏セット機構板
10  カバー部材
16  賞球払出装置
18  球抜き樋
20  流路変換部
21  球通路
24  払出制御基板
25  主基板
31  支持板
34  発射装置
35  発射レール
36  外レール
37  内レール
38  遊技領域
51  上皿接続樋
62  規制壁
63  余剰球流出口
64  満杯樋
65  下皿接続樋
【図１】
0003616539.tif 000002
【図２】
0003616539.tif 000003
【図３】
0003616539.tif 000004
【図４】
0003616539.tif 000005
【図５】
0003616539.tif 000006
【図６】
0003616539.tif 000007
【図７】
0003616539.tif 000008
【図８】
0003616539.tif 000009
【図９】
0003616539.tif 000010
【図１０】
0003616539.tif 000011
【図１１】
0003616539.tif 000012